(57)【特許請求の範囲】
【請求項１】
第１の端末及び第２の端末の間で呼接続を確立する呼接続サーバと、第１の端末及び第２の端末の間で権限情報を中継する権限情報中継サーバとを有するシステムにおける権限情報中継方法であって、
第１の端末と第２の端末との間で、前記呼接続サーバを介して呼接続する第１のステップと、
第１の端末が、前記権限情報中継サーバへ、第２の端末に対する依頼要求を送信すると共に、第２の端末が、前記権限情報中継サーバへ、第１の端末に対する受入要求を送信する第２のステップと、
前記権限情報中継サーバが、前記依頼要求の受信時刻と前記受入要求の受信時刻との時間差が所定時間内であるか否かを判定する第３のステップと、
前記権限情報中継サーバは、第３のステップについて真と判定された場合にのみ、端末間で権限情報を転送する第４のステップと
を有することを特徴とする権限情報中継方法。
【請求項２】
第２のステップについて、前記権限情報中継サーバが、前記所定時間内に、複数の前記依頼要求又は前記受入要求を受信した際に、それぞれの前記依頼要求又は前記受入要求の送信元アドレスが異なる場合、これら要求を破棄することを特徴とする請求項１に記載の権限情報中継方法。
【請求項３】
前記依頼要求は、相手側端末に対するアクセスを依頼する接続依頼要求であり、前記受入要求は、相手側端末からのアクセスを受け入れる接続受入要求であるか、又は、
前記依頼要求は、コンテンツのダウンロードを依頼するダウンロード依頼要求であり、前記受入要求は、コンテンツのダウンロードを受け入れるダウンロード受入要求である
ことを特徴とする請求項１又は２に記載の権限情報中継方法。
【請求項４】
第２のステップについて、第２の端末から前記権限情報中継サーバへ送信される前記受入要求には、第２の端末の前記権限情報が含まれており、
第４のステップについて、前記権限情報中継サーバから第１の端末へ前記依頼要求に対する依頼応答が送信され、前記依頼応答には、第２の端末の前記権限情報が含まれている
ことを特徴とする請求項１から３のいずれか１項に記載の権限情報中継方法。
【請求項５】
第２のステップについて、第１の端末から前記権限情報中継サーバへ送信される前記依頼要求には、第１の端末の前記権限情報が含まれており、
第４のステップについて、前記権限情報中継サーバから第２の端末へ前記受入要求に対する受入応答が送信され、前記受入応答には、第１の端末の前記権限情報が含まれている
ことを特徴とする請求項１から３のいずれか１項に記載の権限情報中継方法。
【請求項６】
第１のステップについて、第２の端末が、前記権限情報中継サーバへ、ランダムパスワードを送信し、
第２のステップについて、
第２の端末が前記権限情報中継サーバへ送信する前記受入要求には、前記ランダムパスワードが含まれており、
前記権限情報中継サーバは、第１のステップで受信したランダムパスワードと、第２のステップで受信したランダムパスワードとが一致するか否かを判定し、偽と判定された場合、前記受入要求を破棄することを特徴とする請求項１から５のいずれか１項に記載の権限情報中継方法。
【請求項７】
前記権限情報中継サーバは、第１の端末のアカウントパスワードを予め登録しており、
第２のステップについて、
第１の端末が前記権限情報中継サーバへ送信する前記依頼要求には、前記アカウントパスワードが含まれており、
前記権限情報中継サーバは、第２のステップで受信したアカウントパスワードと、予め登録されたアカウントパスワードとが一致するか否かを判定し、偽と判定された場合、前記依頼要求を破棄することを特徴とする請求項１から６のいずれか１項に記載の権限情報中継方法。
【請求項８】
前記端末は、スマートフォンであって、電話アプリケーションが予めインストールされており、
前記端末は、前記電話アプリケーションと連携して、前記依頼要求又は前記受入要求を送信する権利処理アプリケーションも予めインストールされている
ことを特徴とする請求項１から７のいずれか１項に記載の権限情報中継方法。
【請求項９】
第１の端末及び第２の端末の間で呼接続を確立する呼接続サーバと、第１の端末及び第２の端末の間で権限情報を中継する権限情報中継サーバとを有するシステムであって、
第１の端末は、前記呼接続サーバを介して呼接続する機能と、前記権限情報中継サーバへ、第２の端末に対する依頼要求を送信する機能とを有し、
第２の端末は、前記呼接続サーバを介して呼接続する機能と、前記権限情報中継サーバへ、第１の端末に対する受入要求を送信する機能とを有し、
前記権限情報中継サーバは、前記依頼要求の受信時刻と前記受入要求の受信時刻との時間差が所定時間内であるか否かを判定し、その判定によって真と判定された場合にのみ、端末間で権限情報を転送する
ことを特徴とする権限情報を中継するシステム。
【発明の詳細な説明】
【技術分野】
【０００１】
本発明は、端末間で、当該端末やコンテンツにアクセスするための権限情報（例えばＩＤ(IDentifier)及びパスワード）を転送する技術に関する。
【背景技術】
【０００２】
端末間で、当該端末やコンテンツにアクセスするための権限情報を転送する用途として、例えば以下のような事例がある。
【０００３】
図１は、端末間で権限情報を転送する事例を表す説明図である。
【０００４】
図１によれば、各端末を所持するユーザを具体的に明確にして説明している。
第１の端末を所持するユーザＡ：例えば両親及び子供の家族
第２の端末を所持するユーザＢ：例えばその祖父母
そうすると、例えば以下のような２つの事例が想定される。
【０００５】
［事例１］祖父母は、自ら所持する第２の端末の使い方がわからない場合があったとする。このとき、祖父母としては、両親が操作する第１の端末からの遠隔操作（リモートコントロール）を受け入れたい場合がある。この場合、祖父母が操作する第２の端末は、両親が操作する第１の端末へ、当該第２の端末に対するアクセスを可能とする権限情報を転送することもできる。これによって、第１の端末は、両親の操作によって、受信した権限情報を用いて第２の端末へログインし、当該第２の端末を遠隔操作することができる。
【０００６】
［事例２］両親は、単一又は複数の孫の写真のコンテンツを、祖父母に見せたい場合があったとする。このとき、両親の操作によって、第１の端末は、そのコンテンツをコンテンツサーバへアップロードする。そして、両親が操作する第１の端末は、祖父母が操作する第２の端末へ、コンテンツサーバの当該コンテンツの一部又は全てに対するアクセスを可能とする権限情報を転送することもできる。その後、祖父母が操作する第２の端末は、コンテンツサーバへ、当該権限情報を用いてコンテンツ取得要求を送信する。これによって、祖父母は、第２の端末を用いて、孫の写真のコンテンツを閲覧又はダウンロードをすることができる。
【０００７】
尚、図１における「ＢのＩＤ、パスワード」及び「ＡのＩＤ、パスワード」は、端末自体のロック等に用いられるＩＤ、パスワードでなく、例えば以下のようなものである（以下同様）。
ＢのＩＤ、パスワード：遠隔操作権限の設定用のＩＤ、パスワード
ＡのＩＤ、パスワード：コンテンツ利用権限の設定用のＩＤ、パスワード
【０００８】
これら事例の中で、何らかの認証シーケンスを用いて、端末間で安全に権限情報を転送する必要がある。
【０００９】
従来、第１の端末を操作するユーザの所有権を持つ画像ファイル群がサーバに蓄積されている場合、その一部の画像ファイルを、他の第２の端末を操作するユーザにアクセスさせる技術がある（例えば特許文献１参照）。この技術によれば、第１の端末のユーザは、当該ユーザ専用のアルバムページを有し、ページ毎にその閲覧及びダウンロードに対するパスワードが設定されている。第２の端末は、サーバのそのアルバムページにアクセスし、所定のパスワードを送信することによって、その画像ファイルを閲覧及び取得（ダウンロード）することができる。
【００１０】
また、第１の電話端末から、第２の電話端末に接続された機器を、遠隔操作する技術がある（例えば特許文献２参照）。この技術によれば、第２の電話端末は、第１の電話端末から予め設定された回数の着呼を検出した後、第１の電話端末から受信した認証情報によって認証処理を実行する。次に、第２の電話端末は、第１の電話端末へ自動的に発呼し、呼接続を完了する。その後、第１の電話端末から第２の電話端末へ制御信号が送信され、第２の電話端末は、その制御信号によって当該機器を制御する。
【００１１】
更に、スマートフォンのような携帯端末について、近くに存在する携帯端末間で、コンテンツを簡易に送受信する技術がある（例えば非特許文献１参照）。このようなプログラムは、スマートフォンのアプリケーションとして搭載されており、予め蓄積されたアドレス帳情報や画像のようなコンテンツを送受信する。この技術によれば、ＧＰＳ(Global Positioning System)の位置情報と、サーバと通信したタイミング情報とを用いて、通信し合うスマートフォンのペアを構成し、そのペア同士の間でコンテンツを送受信する。
【先行技術文献】
【特許文献】
【００１２】
【特許文献１】特許３９１８５０１号
【特許文献２】特開２００７−８１６６４号公報
【非特許文献】
【００１３】
【非特許文献１】「Ｂｕｍｐ」、[online]、［平成２４年１月７日検索］、インターネット＜URL:http://bu.mp/＞
【発明の概要】
【発明が解決しようとする課題】
【００１４】
しかしながら、特許文献１に記載された技術によれば、他の第２の端末を操作するユーザは、当該ページに対する権限情報を予め知り得ている必要がある。また、他の第２の端末は、当該ページに対する権限情報を、第１の端末から何らかの方法で予め取得しておく必要がある。
【００１５】
特許文献２に記載の技術によれば、第２の電話端末は、遠隔操作を受け入れるために、第１の電話端末からの着呼回数と認証情報とによって認証処理を実行する必要がある。そのために、第１の電話端末と第２の電話端末との間の認証シーケンスに、処理時間がかかるとう課題もある。
【００１６】
非特許文献１に記載の技術によれば、情報を送受信するスマートフォン同士の間で、認証情報を交換しないために、誤って情報が送受信される恐れもある。また、インターネットを介したサーバとの間で通信する必要があると共に、ＧＰＳによる位置情報を取得する必要があるために、屋内のようにＧＰＳ信号を受信できない場所では使用できないという課題もあった。
【００１７】
このように、従来技術の認証シーケンスを用いて、前述した事例１及び事例２を実現する場合、認証処理の手順が多くなり、その処理時間がかかるという課題がある。
【００１８】
そこで、本発明は、端末やコンテンツにアクセスするための権限情報を、端末間でワンタイム的に比較的簡易に転送することができる権限情報中継方法及びシステムを提供することを目的とする。
【課題を解決するための手段】
【００１９】
本発明によれば、第１の端末及び第２の端末の間で呼接続を確立する呼接続サーバと、第１の端末及び第２の端末の間で権限情報を中継する権限情報中継サーバとを有するシステムにおける権限情報中継方法であって、
第１の端末と第２の端末との間で、呼接続サーバを介して呼接続する第１のステップと、
第１の端末が、権限情報中継サーバへ、第２の端末に対する依頼要求を送信すると共に、第２の端末が、権限情報中継サーバへ、第１の端末に対する受入要求を送信する第２のステップと、
権限情報中継サーバが、依頼要求の受信時刻と受入要求の受信時刻との時間差が所定時間内であるか否かを判定する第３のステップと、
権限情報中継サーバは、第３のステップについて真と判定された場合にのみ、端末間で権限情報を転送する第４のステップと
を有することを特徴とする。
【００２０】
本発明の権限情報中継方法における他の実施形態によれば、第２のステップについて、権限情報中継サーバが、所定時間内に、複数の依頼要求又は受入要求を受信した際に、それぞれの依頼要求又は受入要求の送信元アドレスが異なる場合、これら要求を破棄することも好ましい。
【００２１】
本発明の権限情報中継方法における他の実施形態によれば、
依頼要求は、相手側端末に対するアクセスを依頼する接続依頼要求であり、受入要求は、相手側端末からのアクセスを受け入れる接続受入要求であるか、又は、
依頼要求は、コンテンツのダウンロードを依頼するダウンロード依頼要求であり、受入要求は、コンテンツのダウンロードを受け入れるダウンロード受入要求である
ことも好ましい。
【００２２】
本発明の権限情報中継方法における他の実施形態によれば、
第２のステップについて、第２の端末から権限情報中継サーバへ送信される受入要求には、第２の端末の権限情報が含まれており、
第４のステップについて、権限情報中継サーバから第１の端末へ依頼要求に対する依頼応答が送信され、依頼応答には、第２の端末の権限情報が含まれている
ことも好ましい。
【００２３】
本発明の権限情報中継方法における他の実施形態によれば、
第２のステップについて、第１の端末から権限情報中継サーバへ送信される依頼要求には、第１の端末の権限情報が含まれており、
第４のステップについて、権限情報中継サーバから第２の端末へ受入要求に対する受入応答が送信され、受入応答には、第１の端末の権限情報が含まれている
ことも好ましい。
【００２４】
本発明の権限情報中継方法における他の実施形態によれば、
第１のステップについて、第２の端末が、権限情報中継サーバへ、ランダムパスワードを送信し、
第２のステップについて、
第２の端末が権限情報中継サーバへ送信する受入要求には、ランダムパスワードが含まれており、
権限情報中継サーバは、第１のステップで受信したランダムパスワードと、第２のステップで受信したランダムパスワードとが一致するか否かを判定し、偽と判定された場合、受入要求を破棄することも好ましい。
【００２５】
本発明の権限情報中継方法における他の実施形態によれば、
権限情報中継サーバは、第１の端末のアカウントパスワードを予め登録しており、
第２のステップについて、
第１の端末が権限情報中継サーバへ送信する依頼要求には、アカウントパスワードが含まれており、
権限情報中継サーバは、第２のステップで受信したアカウントパスワードと、予め登録されたアカウントパスワードとが一致するか否かを判定し、偽と判定された場合、依頼要求を破棄することも好ましい。
【００２６】
本発明の権限情報中継方法における他の実施形態によれば、
端末は、スマートフォンであって、電話アプリケーションが予めインストールされており、
端末は、電話アプリケーションと連携して、依頼要求又は受入要求を送信する権利処理アプリケーションも予めインストールされている
ことも好ましい。
【００２７】
本発明によれば、第１の端末及び第２の端末の間で呼接続を確立する呼接続サーバと、第１の端末及び第２の端末の間で権限情報を中継する権限情報中継サーバとを有するシステムであって、
第１の端末は、呼接続サーバを介して呼接続する機能と、権限情報中継サーバへ、第２の端末に対する依頼要求を送信する機能とを有し、
第２の端末は、呼接続サーバを介して呼接続する機能と、権限情報中継サーバへ、第１の端末に対する受入要求を送信する機能とを有し、
権限情報中継サーバは、依頼要求の受信時刻と受入要求の受信時刻との時間差が所定時間内であるか否かを判定し、その判定によって真と判定された場合にのみ、端末間で権限情報を転送する
ことを特徴とする。
【発明の効果】
【００２８】
本発明の権限情報中継方法及びシステムによれば、端末やコンテンツにアクセスするための権限情報を、端末間でワンタイム的に比較的簡易に転送することができる。
【図面の簡単な説明】
【００２９】
【図１】端末間で権限情報を転送する事例を表す説明図である。
【図２】本発明におけるシステム構成図である。
【図３】本発明における基本的なシーケンス図である。
【図４】権限情報中継サーバによって複数の依頼要求又は受入要求が受信された際のシーケンス図である。
【図５】事例１における本発明の第１のシーケンス図である。
【図６】事例１における本発明の第２のシーケンス図である。
【図７】事例２における本発明のシーケンス図である。
【発明を実施するための形態】
【００３０】
以下では、本発明の実施の形態について、図面を用いて詳細に説明する。
【００３１】
図２は、本発明におけるシステム構成図である。
【００３２】
図２のシステムによれば、権限情報中継サーバ１が、インターネットに接続されている。権限情報中継サーバ１は、第１の端末３Ａ及び第２の端末３Ｂの間で権限情報を中継する。「権限情報」とは、例えばＩＤ(IDentifier)及びパスワードからなる認証情報である。前述した事例１及び２のように、権限情報を用いることによって、相手側端末に対する遠隔操作を可能としたり、相手側端末がアップロードしたコンテンツに対するアクセスを可能とする。
【００３３】
また、呼接続サーバ２は、第１のアクセスネットワークを介する第１の端末３Ａと、第２のアクセスネットワークを介する第２の端末３Ｂとの間で、呼接続を確立する。呼接続サーバは、電話網（携帯電話網も含む）に対する交換機や、インターネットに対するＳＩＰ(Session Initiation Protocol)サーバであってもよい。
【００３４】
端末３は、携帯電話機やスマートフォン（タブレット端末も含む）であってもよいし、パーソナルコンピュータであってもよい。但し、呼接続（セッション）を確立する電話アプリケーション（ソフトウェア）が予めインストールされているか、又は、ユーザ自身がダウンロードしてインストールすることを要する。電話アプリケーションとしては、各通信事業者によって端末に予めインストールされた標準の電話アプリケーション以外に、例えばＳｋｙｐｅ（登録商標）やＬＩＮＥ（登録商標）がある。
【００３５】
また、端末３からアップロードされたコンテンツを蓄積するコンテンツサーバ４も、インターネットに接続されている。第１の端末３Ａからアップロードされたコンテンツに対して、第２の端末３Ｂからアクセスすることができる。
【００３６】
図３は、本発明における基本的なシーケンス図である。
【００３７】
（Ｓ３１）第１の端末３Ａと第２の端末３Ｂとの間で、呼接続サーバ２を介して呼接続する。ここでは、いずれの端末からの発呼（呼接続要求）であってもよい。
【００３８】
（Ｓ３２）第１の端末３Ａが、呼接続完了のタイミングで、権限情報中継サーバ１へ、第２の端末３Ｂに対する「依頼要求」を送信する。依頼要求には、第１の端末３Ａが第２の端末３Ｂに対して依頼している旨の情報を含む。
同様に、第２の端末３Ｂも、呼接続完了のタイミングで、権限情報中継サーバ１へ、第１の端末３Ａに対する「受入要求」を送信する。受入要求には、第２の端末３Ｂが第１の端末３Ａに対して依頼を受け入れる旨の情報を含む。
【００３９】
ここで、権限情報中継サーバ１は、例えば第１の端末３Ａから「依頼要求」を先に受信した場合、その依頼要求から、第１の端末３Ａと第２の端末３Ｂとの間で呼接続が完了していることを認識する。そこで、権限情報中継サーバ１は、第２の端末３Ｂからの「受入要求」を所定時間だけ待ち受ける。即ち、第１の端末３Ａから第２の端末３Ｂに対する依頼要求を受信した場合、その逆となる第２の端末３Ｂから第１の端末３Ａに対する受入要求を待ち受ける。
【００４０】
逆に、権限情報中継サーバ１は、例えば第２の端末３Ｂから「受入要求」を先に受信した場合、第１の端末３Ａからの「依頼要求」を所定時間だけ待ち受ける。即ち、第２の端末３Ｂから第１の端末３Ａに対する受入要求を受信した場合、その逆となる第１の端末３Ａから第２の端末３Ｂに対する依頼要求を待ち受ける。
【００４１】
（Ｓ３３）権限情報中継サーバ１は、「依頼要求」の受信時刻と「受入要求」の受信時刻との時間差が、所定時間内であるか否かを判定する。ここで、待ち受け時間を所定時間範囲（通信環境によって異なるが、例えば５秒間）とすることによって、悪意の第三者の端末から、不正になりすました「依頼要求」を受信するリスクをできるだけ軽減している。即ち、ワンタイム的な簡易な認証シーケンスを取る。もし、所定時間内に他方の依頼／受入要求を受信できなかった場合、失敗とみなし、その依頼／受入要求を破棄する。
【００４２】
（Ｓ３４）Ｓ２３の判定によって真と判定された場合にのみ、権限情報中継サーバ１は、第１の端末３Ａへ、依頼が成功した旨を表す「依頼応答（成功）」を返信し、第２の端末３Ｂへ、受入が成功した旨を表す「受入応答（成功）」を返信する。
【００４３】
（Ｓ３５）その後、「受入応答（成功）」を受信した第２の端末３Ｂは、当該端末又はコンテンツにアクセス可能な権限情報を、権限情報中継サーバ１へ送信する。権限情報中継サーバ１は、その権限情報を、第１の端末３Ａへ転送する。
同様に、「依頼応答（成功）」を受信した第１の端末３Ａは、当該端末又はコンテンツにアクセス可能な権限情報を、権限情報中継サーバ１へ送信する。権限情報中継サーバ１は、その権限情報を、第２の端末３Ｂへ転送する。
尚、ここでは、権限情報が双方向に送信されているが、勿論、どちらか一方向のみに権限情報が送信されるものであってもよい。
【００４４】
図４は、権限情報中継サーバによって複数の依頼要求又は受入要求が受信された際のシーケンス図である。
【００４５】
図４によれば、Ｓ４２について、権限情報中継サーバ１が、所定時間内に、２つの依頼要求（又は２つの受入要求）を受信している。このとき、２つの依頼要求（又は２つの受入要求）の送信元アドレス（例えばＩＰアドレス）が異なる場合がある。この場合、悪意の第三者からの不正になりすました要求が混在している可能性を想定し、受信した依頼／受入要求を破棄する。即ち、本発明によれば、前述した図３のシーケンスのように、権利情報中継サーバ１が受信する要求は、「依頼要求」及び「受入要求」のそれぞれ１つしか存在しない。
【００４６】
以下では、前述した事例１及び事例２を想定して、本発明について更に説明する。
【００４７】
［事例１］第２の端末３Ｂが、第１の端末３Ａからの遠隔操作を受け入れたい場合
具体的には、祖父母が、自ら所持する第２の端末の使い方がわからない場合があって、両親が操作する第１の端末からの遠隔操作を受け入れたい場合である。
【００４８】
図５は、事例１における本発明の第１のシーケンス図である。
【００４９】
（Ｓ５１）第２の端末３Ｂは、呼接続サーバ（例えばＳＩＰサーバ）２へ、着呼先となる第１の端末３Ａのアドレスを取得するべく問合せ要求を送信する。これに対し、呼接続サーバ２は、第１の端末３Ａのアドレスを応答する。次に、第２の端末３Ｂは、第１の端末３Ａへ呼接続要求を送信する。これによって、第２の端末３Ｂと第１の端末３Ａとの間で、呼接続が完了する。
【００５０】
（Ｓ５２）前述した図３のＳ３２と同様に、第１の端末３Ａが、呼接続完了のタイミングで、権限情報中継サーバ１へ、第２の端末３Ｂに対する「接続依頼要求」を送信する。同様に、第２の端末３Ｂも、呼接続完了のタイミングで、権限情報中継サーバ１へ、第１の端末３Ａに対する「接続受入要求」を送信する。ここで、接続受入要求には、第２の端末３Ｂに対するアクセスを可能とする権限情報（ＩＤ及びパスワード）が含まれる。
【００５１】
（Ｓ５３）前述した図３のＳ３３と同様に、権限情報中継サーバ１は、「接続依頼要求」の受信時刻と「接続受入要求」の受信時刻との時間差が、所定時間内であるか否かを判定する。
【００５２】
（Ｓ５４）前述した図３のＳ３４と同様に、Ｓ５３の判定によって真と判定された場合にのみ、権限情報中継サーバ１は、第１の端末３Ａへ、依頼が成功した旨を表す「接続依頼応答（成功）」を返信する。接続依頼応答には、第２の端末３Ｂに対するアクセスを可能にする権限情報が含まれる。また、第２の端末３Ｂへ、受入が成功した旨を表す「接続受入応答（成功）」を返信する。
【００５３】
（Ｓ５５）そして、第１の端末３Ａは、両親の操作によって、接続依頼応答に含まれた権限情報を用いて、第２の端末３Ｂへログインし、遠隔操作を実行する。尚、第１の端末３Ａと第２の端末３Ｂとの間の通信は、ＳＳＬ(Secure Socket Layer)等を用いて通信路を暗号化したセキュアな通信路が確保されることが好ましい。
【００５４】
図６は、事例１における本発明の第２のシーケンス図である。
【００５５】
（Ｓ６０）権限情報中継サーバ１は、第１の端末３Ａにおけるアカウントパスワード（ＩＤ及びパスワード）を登録している。権限情報中継サーバ１は、呼接続が完了した後、アカウントパスワードが登録された端末からの依頼要求のみを受け付けることができる。
【００５６】
（Ｓ６１）図５のＳ５１の前段で、第２の端末３Ｂは、ランダムパスワード（乱数：鍵）を含む発信通知を、権限情報中継サーバ１へ送信する。権限情報中継サーバ１は、このランダムパスワードを一時的に保持し、呼接続が完了した後、第２の端末３Ｂから要求を受信するであろうことを認識する。その後、図５のＳ５１と同様に、第２の端末３Ｂと第１の端末３Ａとの間で呼接続が完了する。
【００５７】
（Ｓ６２）前述した図５のＳ５２と同様に、第１の端末３Ａが、呼接続完了のタイミングで、権限情報中継サーバ１へ、第２の端末３Ｂに対する「接続依頼要求」を送信する。ここで、接続依頼要求には、第１の端末３Ａのアカウントパスワード（ＩＤ及びパスワード）も含まれる。
【００５８】
同様に、第２の端末３Ｂも、呼接続完了のタイミングで、権限情報中継サーバ１へ、第１の端末３Ａに対する「接続受入要求」を送信する。ここで、接続受入要求には、第２の端末３Ｂに対するアクセスを可能とする権限情報（ＩＤ及びパスワード）に加えて、Ｓ６１で送信したランダムパスワードも含まれる。
【００５９】
（Ｓ６３）前述した図５のＳ５３と同様に、権限情報中継サーバ１は、「接続依頼要求」の受信時刻と「接続受入要求」の受信時刻との時間差が、所定時間内であるか否かを判定する。
【００６０】
このとき、Ｓ６１で受信したランダムパスワードと、Ｓ６３の接続受入要求に含まれるランダムパスワードとが、一致するか否かも判定する。これによって、第２の端末３Ｂに不正になりすまた接続受入要求を破棄することができる。更に、Ｓ６３の接続依頼要求の送信元となる第１の端末３Ａのアカウントパスワードが、予め登録されたものであるか否かも判定する。これによって、第１の端末３Ａに不正になりすました接続依頼要求を破棄することができる。
【００６１】
（Ｓ６４）Ｓ６３における３つ全ての判定について真と判定された場合にのみ、権限情報中継サーバ１は、第１の端末３Ａへ、依頼が成功した旨を表す「接続依頼応答（成功）」を返信する。接続依頼応答には、第２の端末３Ｂに対するアクセスを可能にする権限情報が含まれる。また、第２の端末３Ｂへ、受入が成功した旨を表す「接続受入応答（成功）」を返信する。
【００６２】
［事例２］第１の端末が、サーバへ、コンテンツをアップロードした後、第２の端末からもそのコンテンツにアクセスさせたい場合
具体的には、両親は、孫の写真のコンテンツを、祖父母に見せたい場合であって、コンテンツサーバにアップロードされたそのコンテンツへ、祖父母が操作する第２の端末からのコンテンツの閲覧及びダウンロードを受け入れる場合である。
【００６３】
コンテンツサーバ４は、例えばインターネット上のクラウドにあるストレージサイトである。第１の端末３Ａのユーザは、そのストレージサイト上に、ユーザアカウントを持ち、コンテンツを保存している。このような場合、そのストレージサイトにユーザアカウントを持っていない第２の端末３Ｂのユーザに対して、そのコンテンツの一部又は全部にアクセス可能な権限情報を渡すことを想定する。
【００６４】
（Ｓ７０）第１の端末３Ａが、コンテンツサーバ４へコンテンツをアップロードする。このとき、コンテンツサーバ４は、そのコンテンツに対してダウンロードを可能とする権限情報（ＩＤ及びパスワード）を、第１の端末３Ａへ返信する。
【００６５】
（Ｓ７１）その後、第１の端末３Ａは、呼接続サーバ２へ、着呼先となる第２の端末３Ｂのアドレスを取得するべく問合せ要求を送信する。これに対し、呼接続サーバ２は、第２の端末３Ｂのアドレスを応答する。次に、第１の端末３Ａは、第２の端末３Ｂへ呼接続要求を送信する。これによって、第１の端末３Ａと第２の端末３Ｂとの間で、呼接続が完了する。
【００６６】
（Ｓ７２）前述した図３のＳ３２と同様に、第１の端末３Ａが、呼接続完了のタイミングで、権限情報中継サーバ１へ、第２の端末３Ｂに対する「ダウンロード依頼要求」を送信する。ここで、ダウンロード依頼要求には、コンテンツサーバ４のコンテンツに対するアクセスを可能とする権限情報（ＩＤ及びパスワード）が含まれる。また、第２の端末３Ｂも、呼接続完了のタイミングで、権限情報中継サーバ１へ、第１の端末３Ａに対する「ダウンロード受入要求」を送信する。
【００６７】
（Ｓ７３）前述した図３のＳ３３と同様に、権限情報中継サーバ１は、「ダウンロード依頼要求」の受信時刻と「ダウンロード受入要求」の受信時刻との時間差が、所定時間内であるか否かを判定する。
【００６８】
（Ｓ７４）前述した図３のＳ３４と同様に、Ｓ７３の判定によって真と判定された場合にのみ、権限情報中継サーバ１は、第２の端末３Ｂへ、依頼が成功した旨を表す「ダウンロード受入応答（成功）」を返信する。ダウンロード受入応答には、コンテンツサーバ４のコンテンツに対するアクセスを可能にする権限情報が含まれる。
【００６９】
（Ｓ７５）そして、第２の端末３Ｂは、祖父母の操作によって、ダウンロード受入応答に含まれた権限情報を用いて、コンテンツサーバへ、当該コンテンツのコンテンツ取得要求を送信する。これによって、コンテンツサーバ４は、当該コンテンツを、第２の端末３Ｂへ送信する。
【００７０】
尚、コンテンツサーバ４は、当該コンテンツが、第２の端末３Ｂによってダウンロードが完了した後、そのコンテンツ自体を削除することも好ましい。
【００７１】
ここで、事例２の図７のシーケンスの場合であっても、図６のＳ６０と同様に、権限情報中継サーバ１は、第１の端末３Ａにおけるアカウントパスワード（ＩＤ及びパスワード）を登録しておくことも好ましい。また、図６のＳ６１と同様に、第２の端末３Ｂは、ランダムパスワード（乱数：鍵）を含む発信通知を、権限情報中継サーバ１へ送信するものであってもよい。更に、図６のＳ６２と同様に、第２の端末３Ｂも、権限情報中継サーバ１へ送信する「ダウンロード受入要求」に、先に送信したランダムパスワードも含める。
【００７２】
これによって、図６のＳ６３と同様に、Ｓ７１で受信したランダムパスワードと、Ｓ７３の接続受入要求に含まれるランダムパスワードとが、一致するか否かも判定する。更に、Ｓ７３のダウンロード依頼要求の送信元となる第１の端末３Ａのアカウントパスワードが、予め登録されたものであるか否かも判定する。
【００７３】
前述した実施形態によれば、最小単位として２者間での権限情報の中継について言及したが、勿論、３者以上で呼接続及び権限情報の中継を実行するものであってもよい。例えばＮ個のユーザ同士の間で権限情報を中継する場合、各ユーザが、他のＮ−１個のユーザに対して、本発明に基づく処理を個々に実行すればよい。
【００７４】
以上、詳細に説明したように、本発明の権限情報中継方法及びシステムによれば、端末やコンテンツにアクセスするための権限情報を、端末間でワンタイム的に比較的簡易に転送することができる。本発明によれば、端末間の呼接続完了をトリガとして、短い時間間隔のワンタイム的に権限情報を中継転送することができる。これによって、前述した事例１及び事例２に限らず、様々な用途に利用できる。
【００７５】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００７６】
１  権限情報中継サーバ
２  呼接続サーバ
３  端末
４  コンテンツサーバ
【図１】
0005773894.tif 000002
【図２】
0005773894.tif 000003
【図３】
0005773894.tif 000004
【図４】
0005773894.tif 000005
【図５】
0005773894.tif 000006
【図６】
0005773894.tif 000007
【図７】
0005773894.tif 000008